(57)【要約】【課題】商品の発注数量の総数における落札価格を低廉にし、商品を複数のサプライヤに割当てて発注するための入札データ処理システムを提供することを目的とする。【解決手段】商品の獲得可能シェアを複数含むオークション定義情報を、バイヤ側コンピュータ（３０）から受信するステップと、オークション定義情報を、複数のサプライヤ側コンピュータ（４０）に送信するステップと、複数のサプライヤ側コンピュータ（４０）から、複数の獲得可能シェアのそれぞれについての入札価格情報を受信するステップと、第１の獲得可能シェアにおける第１の最低入札価格情報から、第１の獲得可能シェアより割当数量の少ない第２の獲得可能シェアにおける第２の最低入札価格情報を差し引くことで得られる最低入札価格差を算定するステップと、最低入札価格差に正比例して増加する第１の獲得可能シェア内の第１の獲得シェア値を算定するステップとを有する。【選択図】図１
2008210224.tif 000002
【特許請求の範囲】
【請求項１】
ネットワークを介して商品の買い注文を行うバイヤ側コンピュータ及び前記商品の売り注文を行う複数のサプライヤ側コンピュータにアクセス可能なサーバにおける前記商品のシェアを複数のサプライヤに割当てるための入札データ処理方法であって、
前記商品の獲得可能シェアを複数含むオークション定義情報を、前記バイヤ側コンピュータから受信するステップと、
前記オークション定義情報を前記サーバの記憶部に記憶するステップと、
前記記憶部に記憶された前記オークション定義情報を、前記複数のサプライヤ側コンピュータに送信するステップと、
前記複数のサプライヤ側コンピュータから、前記複数の獲得可能シェアのそれぞれについての入札価格情報を受信するステップと、
第１の獲得可能シェアにおける前記入札価格情報の中の第１の最低入札価格情報から、前記第１の獲得可能シェアより割当数量の少ない第２の獲得可能シェアにおける前記入札価格情報の中の第２の最低入札価格情報を差し引くことで得られる最低入札価格差を算定するステップと、
前記最低入札価格差に正比例して増加する前記第１の獲得可能シェア内の第１の獲得シェア値を算定するステップと、
前記複数のサプライヤ側コンピュータのうち、前記第１の最低入札価格情報を送信した第１のサプライヤ側コンピュータに、前記第１の獲得シェア値を送信するステップと、
を有することを特徴とする入札データ処理方法。
【請求項２】
前記第１の獲得シェア値を一定量増加させた第１の変動シェア値を算定するステップと、
前記第１の獲得シェア値から前記第１の変動シェア値への増加分に正比例して減少する第１の変動入札価格情報を算定するステップと、
前記第１のサプライヤ側コンピュータに、前記第１の変動シェア値及び第１の変動入札価格情報を送信するステップと、
を有する請求項１に記載の入札データ処理方法。
【請求項３】
前記第１の最低入札価格情報を一定量減少させた第１の変動入札価格情報を算定するステップと、
前記第１の最低入札価格情報から前記第１の変動入札価格情報への減少分に正比例して増加する第１の変動シェア値を算定するステップと、
前記第１のサプライヤ側コンピュータに、前記第１の変動シェア値及び第１の変動入札価格情報を送信するステップと、
を有する請求項１に記載の入札データ処理方法。
【請求項４】
前記複数のサプライヤ側コンピュータのうち、前記第１の最低入札価格情報の次点である第１の次点入札価格情報を送信した第２のサプライヤ側コンピュータに対して、前記第１の最低入札価格情報より一定量減少させた第２の変動落札価格情報を算定するステップと、
前記第１の最低入札価格情報から前記第２の変動落札価格情報への減少分に正比例して増加する第２の変動落札数量を算定するステップと、
前記第２のサプライヤ側コンピュータに、前記第２の変動落札数量及び第２の変動入札価格情報を送信するステップと、
をさらに有する請求項１に記載の入札データ処理方法。
【請求項５】
前記オークション定義情報は、前記第１の獲得可能シェアの第１の最低入札価格情報と前記第２の獲得可能シェアの第２の最低入札価格情報との間の価格差に関する閾値をさらに含み、
前記商品の発注数量の総数における落札価格を低廉にするために、前記閾値を超えた場合、前記第１の獲得シェアを前記第１の獲得可能シェアにおける最大値にするステップをさらに有する請求項１〜４のいずれか一項に記載の入札データ処理方法。
【請求項６】
前記第１のサプライヤ側コンピュータが送信した入札価格情報に含まれる前記第２の獲得可能シェアにおける入札価格情報が、前記第２の獲得シェアにおける最低入札価格情報である場合でも、前記第２の獲得可能シェアの次点入札価格情報を送信した第２のサプライヤ側コンピュータが前記第２の獲得可能シェアにおいて獲得シェア値が割当てられるステップをさらに有する請求項１〜５のいずれか一項に記載の入札データ処理方法。
【請求項７】
ネットワークを介して商品の買い注文を行うバイヤ側コンピュータ及び前記商品の売り注文を行う複数のサプライヤ側コンピュータにアクセス可能なサーバにおける商品の入札データ処理方法であって、
複数の競り下げ価格情報、及び、該競り下げ価格情報を自動で低下させるための競り下げ時間間隔情報を含むオークション定義情報を、前記バイヤ側コンピュータから受信するステップと、
前記オークション定義情報を前記サーバの記憶部に記憶するステップと、
前記記憶部に記憶された前記オークション定義情報に含まれる複数の競り下げ価格情報を、前記複数のサプライヤ側コンピュータに送信するステップと、
前記競り下げ間隔情報にしたがって、前記複数の競り下げ価格情報の中から競り下げられた入札価格を選択し、当該選択された入札価格を、前記複数のサプライヤ側コンピュータに送信するステップと、
前記複数のサプライヤ側コンピュータから、前記入札価格による前記商品の入札を認める入札許可情報を受信するステップと、
最も低い入札価格を示す入札許可情報を送信したサプライヤ側コンピュータに、前記商品の落札情報を送信するステップと、
を有することを特徴とする入札データ処理方法。
【請求項８】
ネットワークを介して商品の買い注文を行うバイヤ側コンピュータ及び前記商品の売り注文を行う複数のサプライヤ側コンピュータにアクセス可能なサーバにおける商品の入札データ処理方法であって、
複数の競り上げ価格、及び、該競り上げ価格を自動で上昇させるための競り上げ時間間隔情報を含むオークション定義情報を、前記バイヤ側コンピュータから受信するステップと、
前記オークション定義情報を前記サーバの記憶部に記憶するステップと、
前記記憶部に記憶された前記オークション定義情報に含まれる複数の競り上げ価格情報を、前記複数のサプライヤ側コンピュータに送信するステップと、
前記競り上げ間隔情報にしたがって、前記複数の競り上げ価格情報の中から競り上げられた入札価格を選択し、当該選択された入札価格を、前記複数のサプライヤ側コンピュータに送信するステップと、
前記複数のサプライヤ側コンピュータから、前記入札価格による前記商品の入札を認める入札許可情報を受信するステップと、
最も低い入札価格を示す入札許可情報を送信したサプライヤ側コンピュータに、前記商品の落札情報を送信するステップと、
を有することを特徴とする入札データ処理方法。
【請求項９】
ネットワークを介して複数商品の買い注文を行うバイヤ側コンピュータ及び前記商品の売り注文を行う複数のサプライヤ側コンピュータにアクセス可能なサーバにおける入札データ処理方法であって、
前記複数商品を含むオークション定義情報を、前記バイヤ側コンピュータから受信するステップと、
前記オークション定義情報を前記サーバの記憶部に記憶するステップと、
前記記憶部に記憶された前記オークション定義情報を、前記複数のサプライヤ側コンピュータに送信するステップと、
前記複数のサプライヤ側コンピュータから、前記複数品目一括、又は、前記複数品目のうち一品目以上に組み合わされた品目数毎の入札価格情報を受信するステップと、
前記入札価格情報を比較して、前記複数品目一括、及び／又は、組み合わされた品目毎に最低価格となる入札可能価格情報を算定するステップと、
前記複数のサプライヤ側コンピュータに、前記入札可能価格情報を送信するステップと、
を有することを特徴とする入札データ処理方法。
【請求項１０】
ネットワークを介して商品の買い注文を行うバイヤ側コンピュータ及び前記商品の売り注文を行う複数のサプライヤ側コンピュータにアクセス可能なサーバにおける前記商品のシェアを複数のサプライヤに割当てるための入札データ処理システムであって、
前記商品の獲得可能シェアを複数含むオークション定義情報を、前記バイヤ側コンピュータから受信するオークション定義情報受信手段と、
前記オークション定義情報を前記サーバの記憶部に記憶するオークション定義情報記憶手段と、
前記記憶部に記憶された前記オークション定義情報を、前記複数のサプライヤ側コンピュータに送信するオークション定義情報送信手段と、
前記複数のサプライヤ側コンピュータから、前記複数の獲得可能シェアのそれぞれについての入札価格情報を受信する獲得可能シェア受信手段と、
第１の獲得可能シェアにおける前記入札価格情報の中の第１の最低入札価格情報から、前記第１の獲得可能シェアより割当数量の少ない第２の獲得可能シェアにおける前記入札価格情報の中の第２の最低入札価格情報を差し引くことで得られる最低入札価格差を算定する最低入札価格差算定手段と、
前記最低入札価格差に正比例して増加する前記第１の獲得可能シェア内の第１の獲得シェア値を算定する獲得シェア値算定手段と、
前記複数のサプライヤ側コンピュータのうち、前記第１の最低入札価格情報を送信した第１のサプライヤ側コンピュータに、前記第１の獲得シェア値を送信する獲得シェア値送信手段と、
を有することを特徴とする入札データ処理システム。
【請求項１１】
前記第１の獲得シェア値を一定量増加させた第１の変動シェア値を算定する第１の変動シェア値算定手段と、
前記第１の獲得シェア値から前記第１の変動シェア値への増加分に正比例して減少する第１の変動入札価格情報を算定する変動入札価格情報算定手段と、
前記第１のサプライヤ側コンピュータに、前記第１の変動シェア値及び第１の変動入札価格情報を送信する変動入札価格情報送信手段と、
を有する請求項９に記載の入札データ処理システム。
【請求項１２】
前記第１の最低入札価格情報を一定量減少させた第１の変動入札価格情報を算定する変動入札価格情報算定手段と、
前記第１の最低入札価格情報から前記第１の変動入札価格情報への減少分に正比例して増加する第１の変動シェア値を算定する変動シェア値算定手段と、
前記第１のサプライヤ側コンピュータに、前記第１の変動シェア値及び第１の変動入札価格情報を送信する変動シェア値及び変動入札価格情報送信手段と、
を有する請求項９に記載の入札データ処理システム。
【請求項１３】
前記複数のサプライヤ側コンピュータのうち、前記第１の最低入札価格情報の次点である第１の次点入札価格情報を送信した第２のサプライヤ側コンピュータに対して、前記第１の最低入札価格情報より一定量減少させた第２の変動落札価格情報を算定する変動落札価格情報算定手段と、
前記第１の最低入札価格情報から前記第２の変動落札価格情報への減少分に正比例して増加する第２の変動落札数量を算定する変動落札数量算定手段と、
前記第２のサプライヤ側コンピュータに、前記第２の変動落札数量及び第２の変動入札価格情報を送信する変動シェア値及び変動入札価格情報送信手段と、
をさらに有する請求項９に記載の入札データ処理システム。
【請求項１４】
前記オークション定義情報は、前記第１の獲得可能シェアの第１の最低入札価格情報と前記第２の獲得可能シェアの第２の最低入札価格情報との間の価格差に関する閾値をさらに含み、
前記商品の発注数量の総数における落札価格を低廉にするために、前記閾値を超えた場合、前記第１の獲得シェアを前記第１の獲得可能シェアにおける最大値にする獲得可能シェア最大化手段をさらに有する請求項９〜１２のいずれか一項に記載の入札データ処理システム。
【請求項１５】
前記第１のサプライヤ側コンピュータが送信した入札価格情報に含まれる前記第２の獲得可能シェアにおける入札価格情報が、前記第２の獲得シェアにおける最低入札価格情報である場合でも、前記第２の獲得可能シェアの次点入札価格情報を送信した第２のサプライヤ側コンピュータが前記第２の獲得可能シェアにおいて獲得シェア値が割当てられる獲得シェア値割当手段をさらに有する請求項９〜１３のいずれか一項に記載の入札データ処理システム。
【請求項１６】
ネットワークを介して商品の買い注文を行うバイヤ側コンピュータ及び前記商品の売り注文を行う複数のサプライヤ側コンピュータにアクセス可能なサーバにおける商品の入札データ処理システムであって、
複数の競り下げ価格情報、及び、該競り下げ価格情報を自動で低下させるための競り下げ時間間隔情報を含むオークション定義情報を、前記バイヤ側コンピュータから受信するオークション定義情報受信手段と、
前記オークション定義情報を前記サーバの記憶部に記憶するオークション定義情報記憶手段と、
前記記憶部に記憶された前記オークション定義情報に含まれる複数の競り下げ価格情報を、前記複数のサプライヤ側コンピュータに送信するオークション定義情報送信手段と、
前記競り下げ間隔情報にしたがって、前記複数の競り下げ価格情報の中から競り下げられた入札価格情報を選択し、当該選択された入札価格情報を、前記複数のサプライヤ側コンピュータに送信する入札価格情報送信手段と、
前記複数のサプライヤ側コンピュータから、前記入札価格情報による前記商品の入札を認める入札許可情報を受信する入札許可情報受信手段と、
最も低い入札価格を示す入札許可情報を送信したサプライヤ側コンピュータに、前記商品の落札情報を送信する落札情報送信手段と、
を有することを特徴とする入札データ処理システム。
【請求項１７】
ネットワークを介して商品の買い注文を行うバイヤ側コンピュータ及び前記商品の売り注文を行う複数のサプライヤ側コンピュータにアクセス可能なサーバにおける商品の入札データ処理システムであって、
複数の競り上げ価格、及び、該競り上げ価格を自動で上昇させるための競り上げ時間間隔情報を含むオークション定義情報を、前記バイヤ側コンピュータから受信するオークション定義情報受信手段と、
前記オークション定義情報を前記サーバの記憶部に記憶するオークション定義情報記憶手段と、
前記記憶部に記憶された前記オークション定義情報に含まれる複数の競り上げ価格情報を、前記複数のサプライヤ側コンピュータに送信するオークション定義情報送信手段と、
前記競り上げ間隔情報にしたがって、前記複数の競り上げ価格情報の中から競り上げられた入札価格情報を選択し、当該選択された入札価格情報を、前記複数のサプライヤ側コンピュータに送信する入札価格情報送信手段と、
前記複数のサプライヤ側コンピュータから、前記入札価格による前記商品の入札を認める入札許可情報を受信する入札許可情報受信手段と、
最も低い入札価格を示す入札許可情報を送信したサプライヤ側コンピュータに、前記商品の落札情報を送信する落札情報送信手段と、
を有することを特徴とする入札データ処理システム。
【請求項１８】
ネットワークを介して複数商品の買い注文を行うバイヤ側コンピュータ及び前記商品の売り注文を行う複数のサプライヤ側コンピュータにアクセス可能なサーバにおける入札データ処理方法であって、
前記複数商品を含むオークション定義情報を、前記バイヤ側コンピュータから受信する手段と、
前記オークション定義情報を前記サーバの記憶部に記憶する手段と、
前記記憶部に記憶された前記オークション定義情報を、前記複数のサプライヤ側コンピュータに送信する手段と、
前記複数のサプライヤ側コンピュータから、前記複数品目一括、又は、前記複数品目のうち一品目以上に組み合わされた品目数毎の入札価格情報を受信する手段と、
前記入札価格情報を比較して、前記複数品目一括、及び／又は、組み合わされた品目毎に最低価格となる入札可能価格情報を算定する手段と、
前記複数のサプライヤ側コンピュータに、前記入札可能価格情報を送信する手段と、
を有することを特徴とする入札データ処理システム。
【発明の詳細な説明】
【技術分野】
【０００１】
本発明は、インターネット等のネットワークを介して商品等の入札データ処理システム、特に、複数のサプライヤに対して商品のシェアを割当て可能な入札データ処理方法、及び、入札データ処理システムに関する。
【背景技術】
【０００２】
従来、オークションなどの商取引においては、バイヤが欲しい商品の条件や希望価格を提示し、決められた時間内に複数のサプライヤにインターネット上で入札価格を競い合わせるという取引が行われていた（この取引を以下、「リバースオークション」と言う）。このリバースオークションは、オークション中に他のサプライヤがどこで、何社オークションに参加しているかが公開されない状況、かつ、個々のサプライヤのコンピュータ上では自社の入札順位や、他社の最低落札価格をリアルタイムに公開される状況で行われることで、サプライヤ間に競争原理を働かせ、落札価格の低下を図ることが可能である。
【発明の開示】
【発明が解決しようとする課題】
【０００３】
人や会社の兼ね合い次第では最適価格が見いだせなかった購買手続に代わって、リバースオークションは、最適価格が私情を挟むことなく生じやすくさせ、購入価格を低下させる有効な手段である。
しかしながら、リバースオークションでは、単一品目の商品に対する価格入力による取引方法のみが利用されているだけであり、サプライヤ間の競争価格で実現されてしまうため、他のサプライヤと比べて遥かに低い限界費用で商品を提供できる１つのサプライヤが居た場合、バイヤはそのサプライヤの限界費用で商品を購入することはできず、他のサプライヤとの競争価格でしか商品を購入できないため、落札価格の低下の効果が大きく得られないという不都合があった。
【０００４】
また、商取引においては、取引の対象となる商品の数量を増加させることにより、落札価格を低減させるというボリュームメリットを図ることが良く行われている。
しかしながら、上述のようなＡＳＰサービスによる単一品目に対する落札価格入力による取引では、バイヤの発注数量が、本来低廉な価格で商品を提供できるサプライヤの販売可能な数量を超えた場合、そのサプライヤが取引に参加できないことによって、落札価格の低廉化が図れないという不都合が生じていた。
また、商品の数量や特長によっては、最低価格で入札した１つのサプライヤに発注した場合、納期を守れないという工程管理上の不都合が生じていた。
【０００５】
さらに、リバースオークションでは、複数のサプライヤによる落札価格の価格競争が行われるが、落札価格以下で販売可能なサプライヤが居るにもかかわらず、他のサプライヤがそのサプライヤと落札価格を争うことができないため、落札価格の低下が下げ止まるという不都合も生じていた。
【０００６】
そこで、本発明は、商品の発注数量の総数における落札価格を低廉にし、及び／又は、商品を複数のサプライヤに分散発注するために、商品の発注数量を分割して所定の変動範囲を有した複数の獲得可能シェアによる入札を可能にする入札データ処理方法及び入札データ処理システムを提供することを目的とする。
【０００７】
さらに、本発明は、複数のサプライヤ間のリバースオークションで決定する落札価格以下の落札価格を得るための競り下げ又は競り上げオークションを可能にする入札データ処理方法及び入札データ処理システムを提供することを目的とする。
【０００８】
また、本発明は、入札対象となる複数品目のうち、サプライヤが自由にいずれかの品目の組合せを形成し、その組合せ毎に入札可能にすることで、サプライヤにとってより低廉な価格で入札可能な品目における入札を可能にする入札データ処理方法及び入札データ処理システムを提供することを目的とする。
【課題を解決するための手段】
【０００９】
そこで上記の目的を達成するために、本願発明に係る入札データ処理方法は、ネットワークを介して商品の買い注文を行うバイヤ側コンピュータ及び商品の売り注文を行う複数のサプライヤ側コンピュータにアクセス可能なサーバにおける商品のシェアを複数のサプライヤに割当てるための入札データ処理方法であって、商品の獲得可能シェアを複数含むオークション定義情報を、バイヤ側コンピュータから受信するステップと、オークション定義情報をサーバの記憶部に記憶するステップと、記憶部に記憶されたオークション定義情報を、複数のサプライヤ側コンピュータに送信するステップと、複数のサプライヤ側コンピュータから、複数の獲得可能シェアのそれぞれについての入札価格情報を受信するステップと、第１の獲得可能シェアにおける入札価格情報の中の第１の最低入札価格情報から、第１の獲得可能シェアより割当数量の少ない第２の獲得可能シェアにおける入札価格情報の中の第２の最低入札価格情報を差し引くことで得られる最低入札価格差を算定するステップと、最低入札価格差に正比例して増加する第１の獲得可能シェア内の第１の獲得シェア値を算定するステップと、複数のサプライヤ側コンピュータのうち、第１の最低入札価格情報を送信した第１のサプライヤ側コンピュータに、第１の獲得シェア値を送信するステップと、を有することを特徴とする。
【００１０】
さらに、本願発明に係る入札データ処理方法は、第１の獲得シェア値を一定量増加させた第１の変動シェア値を算定するステップと、第１の獲得シェア値から第１の変動シェア値への増加分に正比例して減少する第１の変動入札価格情報を算定するステップと、
第１のサプライヤ側コンピュータに、第１の変動シェア値及び第１の変動入札価格情報を送信するステップと、を有することが好ましい。
【００１１】
また、本願発明に係る入札データ処理方法は、第１の最低入札価格情報を一定量減少させた第１の変動入札価格情報を算定するステップと、第１の最低入札価格情報から第１の変動入札価格情報への減少分に正比例して増加する第１の変動シェア値を算定するステップと、第１のサプライヤ側コンピュータに、第１の変動シェア値及び第１の変動入札価格情報を送信するステップと、を有しても良い。
【００１２】
さらに、本願発明に係る入札データ処理方法は、複数のサプライヤ側コンピュータのうち、第１の最低入札価格情報の次点である第１の次点入札価格情報を送信した第２のサプライヤ側コンピュータに対して、第１の最低入札価格情報より一定量減少させた第２の変動落札価格情報を算定するステップと、第１の最低入札価格情報から第２の変動落札価格情報への減少分に正比例して減少する第２の変動落札数量を算定するステップと、第２のサプライヤ側コンピュータに、第２の変動落札数量及び第２の変動入札価格情報を送信するステップと、有することも可能である。
【００１３】
オークション定義情報は、第１の獲得可能シェアの第１の最低入札価格情報と第２の獲得可能シェアの第２の最低入札価格情報との間の価格差に関する閾値をさらに含み、本願発明にかかる入札データ処理方法は、商品の発注数量の総数における落札価格を低廉にするために、閾値を超えた場合、第１の獲得シェアを第１の獲得可能シェアにおける最大値にするステップをさらに有することが好ましい。
【００１４】
また、商品のシェアを複数のサプライヤに割当てるために、本願発明にかかる入札データ処理方法は、第１のサプライヤ側コンピュータが送信した入札価格情報に含まれる第２の獲得可能シェアにおける入札価格情報が、第２の獲得シェアにおける最低入札価格情報である場合でも、第２の獲得可能シェアの次点入札価格情報を送信した第２のサプライヤ側コンピュータが第２の獲得可能シェアにおいて獲得シェア値が割当てられるステップをさらに有することが好ましい。
【００１５】
また、上記の目的を達成するために、本願発明にかかる入札データ処理方法は、ネットワークを介して商品の買い注文を行うバイヤ側コンピュータ及び商品の売り注文を行う複数のサプライヤ側コンピュータにアクセス可能なサーバにおける商品の入札データ処理方法であって、複数の競り下げ価格情報、及び、該競り下げ価格情報を自動で低下させるための競り下げ時間間隔情報を含むオークション定義情報を、バイヤ側コンピュータから受信するステップと、オークション定義情報をサーバの記憶部に記憶するステップと、記憶部に記憶されたオークション定義情報に含まれる複数の競り下げ価格情報を、複数のサプライヤ側コンピュータに送信するステップと、競り下げ間隔情報にしたがって、複数の競り下げ価格情報の中から競り下げられた入札価格を選択し、当該選択された入札価格を、複数のサプライヤ側コンピュータに送信するステップと、複数のサプライヤ側コンピュータから、入札価格による商品の入札を認める入札許可情報を受信するステップと、最も低い入札価格を示す入札許可情報を送信したサプライヤ側コンピュータに、商品の落札情報を送信するステップと、を有することを特徴とする。
【００１６】
さらに、上記の目的を達成するために、ネットワークを介して商品の買い注文を行うバイヤ側コンピュータ及び商品の売り注文を行う複数のサプライヤ側コンピュータにアクセス可能なサーバにおける商品の入札データ処理方法であって、複数の競り上げ価格、及び、該競り上げ価格を自動で上昇させるための競り上げ時間間隔情報を含むオークション定義情報を、バイヤ側コンピュータから受信するステップと、オークション定義情報をサーバの記憶部に記憶するステップと、記憶部に記憶されたオークション定義情報に含まれる複数の競り上げ価格情報を、複数のサプライヤ側コンピュータに送信するステップと、競り上げ間隔情報にしたがって、複数の競り上げ価格情報の中から競り上げられた入札価格を選択し、当該選択された入札価格を、複数のサプライヤ側コンピュータに送信するステップと、複数のサプライヤ側コンピュータから、入札価格による商品の入札を認める入札許可情報を受信するステップと、最も低い入札価格を示す入札許可情報を送信したサプライヤ側コンピュータに、商品の落札情報を送信するステップと、を有することを特徴とする。
【００１７】
さらに、上記目的を達成するために本願発明に係る入札データ処理方法は、ネットワークを介して複数商品の買い注文を行うバイヤ側コンピュータ及び商品の売り注文を行う複数のサプライヤ側コンピュータにアクセス可能なサーバにおける入札データ処理方法であって、複数商品を含むオークション定義情報を、バイヤ側コンピュータから受信するステップと、オークション定義情報をサーバの記憶部に記憶するステップと、記憶部に記憶されたオークション定義情報を、複数のサプライヤ側コンピュータに送信するステップと、複数のサプライヤ側コンピュータから、複数品目一括、又は、複数品目のうち一品目以上に組み合わされた品目数毎の入札価格情報を受信するステップと、入札価格情報を比較して、複数品目一括、及び／又は、組み合わされた品目毎に最低価格となる入札可能価格情報を算定するステップと、複数のサプライヤ側コンピュータに、入札可能価格情報を送信するステップと、を有することを特徴とする。
【００１８】
また、上記の目的を達成するために、本願発明に係る入札データ処理システムは、ネットワークを介して商品の買い注文を行うバイヤ側コンピュータ及び商品の売り注文を行う複数のサプライヤ側コンピュータにアクセス可能なサーバにおける商品のシェアを複数のサプライヤに割当てるための入札データ処理システムであって、商品の獲得可能シェアを複数含むオークション定義情報を、バイヤ側コンピュータから受信するオークション定義情報受信手段と、オークション定義情報をサーバの記憶部に記憶するオークション定義情報記憶手段と、記憶部に記憶されたオークション定義情報を、複数のサプライヤ側コンピュータに送信するオークション定義情報送信手段と、複数のサプライヤ側コンピュータから、複数の獲得可能シェアのそれぞれについての入札価格情報を受信する獲得可能シェア受信手段と、第１の獲得可能シェアにおける入札価格情報の中の第１の最低入札価格情報から、第１の獲得可能シェアより割当数量の少ない第２の獲得可能シェアにおける入札価格情報の中の第２の最低入札価格情報を差し引くことで得られる最低入札価格差を算定する最低入札価格差算定手段と、最低入札価格差に正比例して増加する第１の獲得可能シェア内の第１の獲得シェア値を算定する獲得シェア値算定手段と、複数のサプライヤ側コンピュータのうち、第１の最低入札価格情報を送信した第１のサプライヤ側コンピュータに、第１の獲得シェア値を送信する獲得シェア値送信手段と、を有することを特徴とする。
【００１９】
また、本願発明に係る入札データ処理システムは、第１の獲得シェア値を一定量増加させた第１の変動シェア値を算定する第１の変動シェア値算定手段と、第１の獲得シェア値から第１の変動シェア値への増加分に正比例して減少する第１の変動入札価格情報を算定する変動入札価格情報算定手段と、第１のサプライヤ側コンピュータに、第１の変動シェア値及び第１の変動入札価格情報を送信する変動入札価格情報送信手段と、を有することが好ましい。
【００２０】
さらに、本願発明に係る入札データ処理システムは、第１の最低入札価格情報を一定量減少させた第１の変動入札価格情報を算定する第１の変動入札価格情報算定手段と、第１の最低入札価格情報から第１の変動入札価格情報への減少分に正比例して増加する第１の変動シェア値を算定する変動シェア値算定手段と、第１のサプライヤ側コンピュータに、第１の変動シェア値及び第１の変動入札価格情報を送信する変動シェア値及び変動入札価格情報送信手段と、を有することが可能である。
【００２１】
また、本願発明に係る入札データ処理システムは、複数のサプライヤ側コンピュータのうち、第１の最低入札価格情報の次点である第１の次点入札価格情報を送信した第２のサプライヤ側コンピュータに対して、第１の最低入札価格情報より一定量減少させた第２の変動落札価格情報を算定する変動落札価格情報算定手段と、第１の最低入札価格情報から第２の変動落札価格情報への減少分に正比例して減少する第２の変動落札数量を算定する変動落札数量算定手段と、第２のサプライヤ側コンピュータに、第２の変動落札数量及び第２の変動入札価格情報を送信する変動シェア値及び変動入札価格情報送信手段と、をさらに有しても良い。
【００２２】
オークション定義情報は、第１の獲得可能シェアの第１の最低入札価格情報と第２の獲得可能シェアの第２の最低入札価格情報との間の価格差に関する閾値をさらに含み、本願発明に係る入札データ処理システムは、商品の発注数量の総数における落札価格を低廉にするために、閾値を超えた場合、第１の獲得シェアを第１の獲得可能シェアにおける最大値にする獲得可能シェア最大化手段をさらに有することができる。
【００２３】
さらに、本願発明に係る入札データ処理システムは、第１のサプライヤ側コンピュータが送信した入札価格情報に含まれる第２の獲得可能シェアにおける入札価格情報が、第２の獲得シェアにおける最低入札価格情報である場合でも、第２の獲得可能シェアの次点入札価格情報を送信した第２のサプライヤ側コンピュータが第２の獲得可能シェアにおいて獲得シェア値が割当てられる獲得シェア値割当手段をさらに有することが好ましい。
【００２４】
また、上記目的を達成するために本願発明に係る入札データ処理システムは、ネットワークを介して商品の買い注文を行うバイヤ側コンピュータ及び商品の売り注文を行う複数のサプライヤ側コンピュータにアクセス可能なサーバにおける商品の入札データ処理方法であって、複数の競り下げ価格情報、及び、該競り下げ価格情報を自動で低下させるための競り下げ時間間隔情報を含むオークション定義情報を、バイヤ側コンピュータから受信するオークション定義情報受信手段と、オークション定義情報をサーバの記憶部に記憶するオークション定義情報記憶手段と、記憶部に記憶されたオークション定義情報に含まれる複数の競り下げ価格情報を、複数のサプライヤ側コンピュータに送信するオークション定義情報送信手段と、競り下げ間隔情報にしたがって、複数の競り下げ価格情報の中から競り下げられた入札価格情報を選択し、当該選択された入札価格情報を、複数のサプライヤ側コンピュータに送信する入札価格情報送信手段と、複数のサプライヤ側コンピュータから、入札価格情報による商品の入札を認める入札許可情報を受信する入札許可情報受信手段と、最も低い入札価格を示す入札許可情報を送信したサプライヤ側コンピュータに、商品の落札情報を送信する落札情報送信手段と、を有することを特徴とする。
【００２５】
さらに、上記目的を達成するために本願発明に係る入札データ処理システムは、ネットワークを介して商品の買い注文を行うバイヤ側コンピュータ及び商品の売り注文を行う複数のサプライヤ側コンピュータにアクセス可能なサーバにおける商品の入札データ処理システムであって、複数の競り上げ価格、及び、該競り上げ価格を自動で上昇させるための競り上げ時間間隔情報を含むオークション定義情報を、バイヤ側コンピュータから受信するオークション定義情報受信手段と、オークション定義情報をサーバの記憶部に記憶するオークション定義情報記憶手段と、記憶部に記憶されたオークション定義情報に含まれる複数の競り上げ価格情報を、複数のサプライヤ側コンピュータに送信するオークション定義情報送信手段と、競り上げ間隔情報にしたがって、複数の競り上げ価格情報の中から競り上げられた入札価格情報を選択し、当該選択された入札価格情報を、複数のサプライヤ側コンピュータに送信する入札価格情報送信手段と、複数のサプライヤ側コンピュータから、入札価格による商品の入札を認める入札許可情報を受信する入札許可情報受信手段と、最も低い入札価格を示す入札許可情報を送信したサプライヤ側コンピュータに、商品の落札情報を送信する落札情報送信手段と、を有することを特徴とする。
【００２６】
また、上記目的を達成するために本願発明に係る入札データ処理システムは、ネットワークを介して複数商品の買い注文を行うバイヤ側コンピュータ及び商品の売り注文を行う複数のサプライヤ側コンピュータにアクセス可能なサーバにおける入札データ処理方法であって、複数商品を含むオークション定義情報を、バイヤ側コンピュータから受信する手段と、オークション定義情報をサーバの記憶部に記憶する手段と、記憶部に記憶されたオークション定義情報を、複数のサプライヤ側コンピュータに送信する手段と、複数のサプライヤ側コンピュータから、複数品目一括、又は、複数品目のうち一品目以上に組み合わされた品目数毎の入札価格情報を受信する手段と、入札価格情報を比較して、複数品目一括、及び／又は、組み合わされた品目毎に最低価格となる入札可能価格情報を算定する手段と、複数のサプライヤ側コンピュータに、入札可能価格情報を送信する手段と、を有することを特徴とする。
【発明の効果】
【００２７】
本発明によれば、商品の発注数量を分割して所定の変動範囲を有した複数の獲得可能数量による入札を可能にし、さらに、複数の獲得可能シェアのそれぞれについての入札価格、獲得可能シェアの変動範囲、及び、入札価格の価格差に基づいて、複数の獲得可能シェアのそれぞれについて獲得シェア値及を算定し、さらに、当該獲得シェア値を変動し、獲得シェア値を増加するための落札価格をサプライヤに通知することで、事前に取り決めた複数の獲得可能シェア（商品の数量割合）毎にボリュームメリットを考慮した価格を複数入札させ、対象となる品目をリスクの高低や生産能力に応じて、商品を複数のサプライヤに割当てて発注することが可能となった。
【００２８】
また、本発明によれば、次点入札価格情報を送信したサプライヤに対して、最低落札価格をさらに減少させた変動入札価格情報を生成し、その減少に正比例して増加させた獲得シェア値を算定し、上記次点入札価格情報を送信したサプライヤに、落札価格とその落札価格時の獲得シェア値を提供することによって、商品の発注数量の総数における落札価格を低廉にし、及び／又は、商品を複数のサプライヤに割当てて分散発注することが可能となった。
【００２９】
また、本発明によれば、オークション定義情報は、複数の獲得可能シェアにおける最低入札価格の変位に関する閾値をさらに含み、商品の発注数量の総数における落札価格を低廉にするために、その変位が閾値を超えた場合、最低入札価格に関連する獲得可能シェアの最大値を獲得シェアにすることで、低廉な価格を分散発注より優先する等の対応も可能となった。
【００３０】
さらに、本発明によれば、自動で入札価格を競り下げ又は競り上げするオークションを可能にすることで、複数のサプライヤ間のリバースオークションで決定する競合落札価格以下の落札価格を得ることが可能となった。
【００３１】
また、本発明によれば、入札対象となる複数品目のうち、サプライヤが自由にいずれかの品目の組合せを形成し、その組合せ毎に入札可能にすることで、サプライヤにとってより低廉な価格で入札可能な品目における入札が可能となった。
【発明を実施するための最良の形態】
【００３２】
図１を用いて、本発明に係る入札データ処理方法及び入札データ処理システムの概要について説明する。インターネット、ＬＡＮ等のネットワーク１０に対して、サーバ２０、バイヤ側コンピュータ３０、サプライヤ側コンピュータ４０Ａ−Ｃがアクセス可能に接続されている。
【００３３】
サーバ２０は、液晶ディスプレイ等の表示部、キーボード及びマウス等の操作部、ＣＰＵ、メモリ等を含む制御部、ハードディスク等の記憶部、及びＮＩＣ（Network Interface Card）等の送受信部等を有し、ネットワーク１０にアクセスし、バイヤ側コンピュータ３０及びサプライヤ側コンピュータ４０Ａ−Ｃに各種データの送受信を行えるように構成されている。さらに、メモリや記憶部には、少なくともサーバ２０における動作を制御するためのプログラム、及び、サーバ２０の上記ハードウェア資源を利用して入札データ処理システムを提供するプログラムが記憶されているものとする。
【００３４】
なお、上記制御部は、最低入札価格差算定手段、獲得シェア値算定手段、変動シェア値算定手段、最低入札価格差算定手段、変動落札価格情報算定手段、変動落札数量算定手段、獲得シェア最大化手段、及び獲得シェア値割当手段として演算処理を実行することが可能である。
また、上記記憶部は、オークション定義情報記憶手段として機能することが可能である。
また、上記送受信部は、オークション定義情報受信手段、オークション定義情報送信手段、入札価格情報受信手段、獲得シェア値送信手段、変動落札価格情報送信手段、変動シェア値及び変動落札価格情報送信手段、競り下げ又は競り上げ価格情報送信手段、入札許可情報受信手段、及び落札情報送信手段として機能することが可能である。
【００３５】
バイヤ側コンピュータ３０及びサプライヤ側コンピュータ４０Ａ−Ｃは、通常のパーソナルコンピュータであって、液晶ディスプレイ等の表示部、キーボード及びマウス等の操作部、ＣＰＵ、メモリ等を含む制御部、ハードディスク等の記憶部及びＮＩＣ等の送受信部等を有し、ネットワーク１０を利用してサーバ２０へ各種データの送受信を行えるように構成されている。また、バイヤ側コンピュータ３０及びサプライヤ側コンピュータ４０Ａ−Ｃは、ブラウザフォンやＰＤＡ（Personal Digital Assistance）であっても良い。なお、図１では、バイヤ側コンピュータ３０及びサプライヤ側コンピュータ４０Ａ−Ｃは、それぞれ１台、３台示されているが、この数に限定されるものでは無い。
【００３６】
バイヤ側コンピュータ３０を利用するバイヤとなるユーザは、ネットワーク１０を介して入札データ処理システムが生成したウェブページを受信し、ディスプレイに表示されるウェブページに対して、オークションにおいて引き合い対象となるサプライヤの選択、オークションの対象となる商品、商品の発注数量、希望落札価格情報、競り下げ間隔情報等を入力することが可能となる。
バイヤ側コンピュータ３０において、入札データ処理システムのウェブページに入力された情報は、サーバ２０に送信され、サーバ２０の記憶部に記憶される。
【００３７】
また、サプライヤ側コンピュータ４０Ａ−Ｃは、ネットワーク１０を介して入札データ処理システムが生成したウェブページを受信し、ディスプレイに表示されるウェブページに対して、商品の入札価格、発注数量に対する割合情報、希望落札価格による販売を認める情報等を入力できるように構成されている。
サプライヤ側コンピュータ４０において、入札データ処理システムのウェブページに入力された情報は、サーバ２０に送信され、サーバ２０の記憶部に記憶される。
【００３８】
以下、図２を用いて、シェア割オークションにおける入札データ処理の流れについて説明する。なお、シェア割オークションとは、商品をサプライヤに分散発注するために行うオークションである。入札データ処理の手順は、サーバ２０における記憶部に記憶されている所定のプログラムに従い、主に処理部によって実行されるものとする。
【００３９】
最初に、バイヤであるユーザが、オークション登録画面を利用して、オークション定義情報を入力する（ステップ２０１）。
ここで、オークション定義情報とは、オークション開催日時、オークションタイプ、対象となる商品情報、選定サプライヤ等の定義情報を言う。
【００４０】
オークション登録画面の一例を図３の３１０に示す。図３の３１０では、入力されるオークション定義情報は、オークション件名３１１（「コピー用紙一式」）、オークション開催日時３１２（「２００６／１０／１１  ２２：００」）、終了日時３１３（「２００６／１０／１１  ２３：００」）、終了間隔３１４（「５分間」）、発注予定日３１５（「２００６／１０／１１から２００７／１１／１まで」）等である。
【００４１】
また、上述のオークションタイプには、商品のシェアを複数のサプライヤに割当てるための入札データ処理を行うために「シェア割タイプ」が入力される。
【００４２】
シェア割タイプのオークションの登録画面の一例を図４の４１０に示す。図４の４１０では、入力されるオークション定義情報は、オークションタイプ４１１（「シェア割タイプ」）、シェア割４１２（３社シェア割で、シェア１が５０〜７５％、シェア２が４０〜２０％、シェア３が１０〜５％）、シェア変動範囲４１３（固定シェア値算定において、各シェアにおいて許容される変動範囲。つまりシェア１の変動範囲が１０％の場合、固定シェア値＜５０％（獲得可能シェア最低値）＋１０％（シェア変動範囲）＝６０％となる必要がある。）等である。
【００４３】
なお、上述したように、シェア割りタイプオークションは、サプライヤにボリュームメリットを考慮した価格を提示させ、商品総数において最低価格での分散発注を図る（コスト考慮）場合、又は、対象となる品目をリスクの高低やサプライヤの生産能力に応じて、複数のサプライヤに分散発注したい（リスク考慮）場合等に有益なオークションである。
【００４４】
ここで、獲得可能シェアは変動範囲を有するため、実際の発注時には、シェアの変動範囲内の固定シェア値である獲得シェア値に変えなければならない。そのため、シェアの変動範囲から、入札価格に応じて固定シェア値を計算する必要がある。また、この計算においては、商品総数において低廉な価格を考慮した固定シェア値とする必要がある。
【００４５】
しかし、固定シェア値を算定する場合、バイヤが希望する固定シェアは、入札対象となる商品や、その商品を提供する業態等のリスク要因に依存するものであるため、固定シェア値を算定する操作変数として、シェア変動範囲以外にもリスクレート等を設定することで、対象商品に適したリスクを反映させることが可能である。
以下に、固定シェア値を算定する実施例として、獲得可能シェア１（５０〜７５％）の落札価格が１０００円、獲得可能シェア２（４０〜２０％）の落札価格が１０５０円、獲得可能シェア３（１０〜５％）の落札価格が１１００円である場合の計算例を示す。
【００４６】
例えば、リスクレート（ｒ）を用いて、以下のような式で獲得シェア値が計算可能である。
獲得可能シェア（１）最低値＝５０％
獲得可能シェア（２）最低値＝２０％
獲得可能シェア（３）最低値＝５％
獲得可能シェア（１）変動範囲＝２５％
獲得可能シェア（２）変動範囲＝２０％
獲得可能シェア（３）変動範囲＝５％
獲得可能シェア２１入札価格差＝獲得可能シェア２入札価格−獲得可能シェア１入札価格＝５０円
獲得可能シェア３２入札価格差＝獲得可能シェア３入札価格−獲得可能シェア２入札価格＝５０円
獲得可能シェア３１入札価格差＝獲得可能シェア３入札価格−獲得可能シェア１入札価格＝１００円
獲得シェア値（ｎ）＝獲得可能シェア（ｎ）最低値＋獲得可能シェア（ｎ）変動範囲×獲得可能シェア（ｎ＋１）（ｎ）入札価格差／（シェア（ｎ＋２）（ｎ）入札価格差）×１／（１−ｒ）・・・（数式１）
このように計算すると、リスクレート（ｒ）＝０の場合、
獲得シェア値１：獲得シェア値２：獲得シェア値３＝６２．５：３０：７．５となる（この場合の平均発注額は、１０２２．５円）。
リスクレート（ｒ）＝０．５でかつ、シェア合計が１００％になるように按分すると
獲得シェア値１：獲得シェア値２：獲得シェア値３＝６０：３２：８となる（この場合の平均発注額は、１０２４円）。
リスクレート（ｒ）＝０．９でかつ、シェア合計が１００％になるように按分すると
獲得シェア値１：獲得シェア値２：獲得シェア値３＝５４：３７：９となる（この場合の平均発注額は、１０２７．５円）。
【００４７】
上述においては、リスクレート（ｒ）を用いて獲得シェア値を計算したが、リスクレート（ｒ）と、シェア変動範囲４１３を同じ数値又は関係を持たせることで、シェア変動範囲４１３の設定値からリスクレート（ｒ）を計算することも可能である。例えば、シェア変動範囲４１３が「１０％」の場合、リスクレートを０．５、シェア変動範囲４１３が「２０％」の場合、リスクレート＝０．９等のように設定することで、リスクレートの入力を必要とせずに、シェア変動範囲４１３の入力に基づいてリスクレートを算定することも可能である。
【００４８】
なお、数式１を参照すればわかるように、獲得シェア値（ｎ）と獲得可能シェア（ｎ）入札価格は、１次方程式の関係であるため、どちらかの変数が決まれば、他方の変数を算定することが可能である。
つまり、希望する獲得シェア値（ｎ）を決めれば、必要な獲得可能シェア（ｎ）入札価格が算定可能であり、その逆で、落札するのに必要な獲得可能シェア（ｎ）入札価格が決まれば、獲得シェア値（ｎ）が算定可能である。
したがって、シェア割オークションの場合、このような数式やアルゴリズムを使用することで、獲得可能シェア及び入札価格を表示することで、獲得シェア値の増加というインセンティブをサプライヤに働かせ、より低廉な落札価格を得ることが可能である。
【００４９】
なお、シェア割４１２では、３社シェア割が選定されているが、この場合は、獲得可能シェアは、必ず３社に割当てて発注されるため、１社が全ての獲得可能シェアで最低入札価格を提示したとしても、その場合は、最大シェア（シェア１）のみで受注が可能であり、シェア２では、２番目に安い入札価格、シェア３では、２番目又は３番目に安い入札価格となる。
【００５０】
したがって、必ず３社に発注せずに、各獲得可能シェアにおける入札価格差が大きく開いた場合、商品総数におけるコストを優先し、３社における分散発注をやめて、２社における分散発注に切替るという場合もある。
そこで、コストを考慮して分散発注社数を減らすために、シェア変動範囲４１３の設定値を利用することが可能である。
例えば、上述したように、リスクレート（ｒ）＝０の場合、獲得シェア値１：獲得シェア値２：獲得シェア値３＝６２．５：３０：７．５（この場合の平均発注額は、１０２２．５円）となったが、この場合、獲得シェア１の変動範囲は、シェア変動範囲４１３で設定された１０％を越えている（６２．５％−５０％（獲得可能シェア最低値））＞１０％（シェア変動範囲））ため、分散発注を３社から上位２社とし、獲得可能シェア１の獲得シェア値を最大（７５％）に設定するという計算を行っても良い。
この場合、獲得可能シェア１の獲得シェア値を７５％、及び、獲得可能シェア２の獲得シェア値を２５％とすることで、商品総数における１商品当たりの平均発注額は、１０００×０．７５＋１０５０×０．２５＝１０１２．５円となり、上記１０２２．５円より低廉な価格となる。
このように、本発明に係るシェア割オークションでは、事前に取り決めた複数の獲得可能シェア毎にボリュームメリットを考慮した価格を複数入札させ、対象となる品目をリスク等に応じてシェアを複数のサプライヤに割当ててると共にコストを考慮した発注を行うことが可能となった。
【００５１】
オークション定義情報として、商品情報も定義される。
シェア割オークションにおける商品情報の登録画面の一例を図５の５１０に示す。図５の５１０では、入力される商品情報は、商品名５１１（「コピー用紙Ａ４」）、数量５１２（「１００」）、単位５１３（「ケース」）、開始価格５１４（サプライヤは「５０００００」円以下で入札可能）、目標価格５１５（バイヤ画面にのみ表示可能な額である「４０００００」円）、最低減額単位５１６（前回の入札価格−「１００００」円以下でのみ入札可能）、入札可能単位５１７（「５０００」円の整数倍で入札可能）、スペック等５１８（「タテ目」）、納入先住所５１９（「東京都千代田区一ツ橋２−５−５」）、納期の日付指定５２０（ブランク）、納期のリードタイム５２１（発注してから「３日以内」）である。
商品追加ボタン５２２を押下すると、さらに２つ目の商品について上述と同様の入力を行うことなり、複数品目のオークションが可能となる。
【００５２】
次に、バイヤが入力したオークション定義情報は、バイヤ側コンピュータ３０から、サーバ２０に送信される（ステップ２０２）。サーバ２０で受信した定義情報（ステップ２０３）は、記憶部に格納されると共に、サプライヤであるユーザが、サプライヤ側コンピュータ４０で入札データ処理システムが生成するオークション画面にアクセスすることにより、サプライヤ側コンピュータ４０に送信される（ステップ２０４）。なお、サプライヤ側コンピュータ４０のディスプレイで表示される画面では、他のサプライヤ情報、及び、目標価格は、見ることはできない。
【００５３】
次に、サプライヤは、オークション定義情報を受信し（ステップ２０５）、オークション画面を利用して、オークション定義情報を確認する（ステップ２０６）。
【００５４】
次に、オークション定義情報で入力されたオークション開催日時になったか否かが判断され、オークション開催日時になると、開催メールがサーバ２０から送信され（ステップ２０７）、サプライヤ側コンピュータ４０で開催メールが受信される（ステップ２０８）。また、ステップ２０７では、開催メールは、バイヤーが操作することで任意のタイミングで開催メールを送信するようにしても良い。
【００５５】
次に、サプライヤは、オークション画面を利用して、サプライヤ側コンピュータ４０で入札情報を入力する（ステップ２０９）。
入札情報の入力は、事前に取り決めたいくつかの獲得可能シェアに基づいて、各シェアにおける入札価格で入札が行われる。
【００５６】
シェア割オークションのサプライヤ側から見たオークション入札画面の一例を図６の６１０に示す。図６の６１０では、シェア割り状況６１１（シェア１＝６０％、シェア２＝３０％、シェア３＝１０％）、価格順位６１２（獲得可能シェア５０％〜７０％、首位価格「９９３，０００円」、最終入札価格「９９５，０００円」で価格順位が「３位」。獲得可能シェア３０％〜５０％、首位価格「１，０９６，０００円」、最終入札価格「１，０９７，０００円」で価格順位が「２位」。獲得可能シェア１０％〜２０％、首位価格「１，１９７，０００円」、最終入札価格「１，１９７，０００円」で価格順位が「１位」。）、状況６１４（（＞＿＜）、王冠表示）次回シェア変動価格６１３（獲得可能シェア５０％〜７０％、「９９２，０００円入札でシェア６０％になります」。獲得可能シェア３０％〜５０％、首位価格「１，０９６，０００円」、「１，０１８，０００円入札でシェア３５％になります」。）等が示される。
【００５７】
価格順位６１２では、サプライヤは価格順位が「２位」であっても、獲得可能シェア３０％〜５０％で３０％の獲得シェア値を得ている（状況６１３において王冠（落札企業）表示）。これは、シェア割オークションでは、複数の獲得可能シェアで落札できないようになっているためである。つまり、この画面にアクセスしているサプライヤは、獲得可能シェア３０％〜５０％で「２位」であっても、他のサプライヤが獲得可能シェア５０％〜７０％において首位価格で入札しており、かつ、その他のサプライヤが獲得可能シェア３０％〜５０％で首位価格入札しているため、価格順位が「２位」でも獲得可能シェア３０％〜５０％でシェアを獲得している。なお、状況６１３で示される顔文字（＞＿＜）は、獲得可能シェア５０％〜７０％で入札しているにも関わらず、他社がより安価で入札しているため、シェアを獲得できないことを示している。
【００５８】
次に、入力された入札情報は、サプライヤ側コンピュータ４０からサーバ２０に送信され（ステップ２１０）、その入札情報は、サーバ２０で受信される（ステップ２１１）。
次に、受信した入札情報から、算定させたシェアを変動させるために、各サプライヤが、各獲得可能シェアにおいて落札するために必要なシェア変動時入札価格、及び、既に当該シェアを獲得した場合でも、さらにシェアを増加させるために必要なシェア変動時入札価格を算定する。そして、それらのシェア変動時入札価格とそのシェア変動時入札価格時のシェアをサプライヤ側コンピュータに送信する（ステップ２１２）。
【００５９】
例えば、次回シェア変動価格６１４では、獲得可能シェア５０％〜７０％で落札するために必要な情報として「９９２，０００円入札でシェア６０％になります」が示される。これはこのシェアにおいて必要な入札価格「９９２，０００円」と、その価格を入札した場合の計算されるシェア「６０％」を示している。
さらに、次回シェア変動価格６１４では、このシェアにおいてさらにシェアを獲得するために必要な情報として「１，０１８，０００円入札でシェア３５％になります」が示される。これは、現状のシェア３０％を向上させるために必要な入札額と、その場合の算定されるシェアを示している。
【００６０】
サーバ２０から送信されたシェア変動時入札価格およびそのシェアは、サプライヤ側コンピュータ４０で受信される（ステップ２１３）。バイヤは、シェアを変動させたい場合、次回シェア変動価格６１４の指示に従うか、さらに、安価な入札価格による入札情報を入力する（ステップ２１４）。そして、サプライヤ側コンピュータ４０は、入札情報をサーバ２０に送信する（ステップ２１５）。
【００６１】
そして、サーバ２０で受信された入札情報（ステップ２１６）は、バイヤ側コンピュータ３０に送信され（ステップ２１７）、バイヤ側コンピュータ３０コンピュータでオークション画面にアクセスすることにより、入札情報を受信し（ステップ２１８）、入札情報を確認する（ステップ２１９）。なお、この入札情報の受信及び確認は、オークション開催後どの段階で行っても良い。
【００６２】
シェア割オークションのバイヤ側から見たオークション状況監視画面の一例を図７の７１０に示す。図７の７１０では、セラー１の入札状況７１１（獲得シェア値「６０％」、シェア１で落札「入札価格９８０，０００（１位）」）、セラー２の入札状況７１２（獲得シェア値「２５％」、シェア２で落札「入札価格１，０２０，０００（１位）」）、セラー３の入札状況（獲得シェア値「１５％」、シェア３で落札「入札価格１，０６３，０００（１位）」）、シェア割状況７１４等が示される。
【００６３】
次に、サーバ２０で、オークション定義情報で入力されたオークション終了日時になったか否かが判断される（ステップ２２０）。オークション終了日時まで、入札情報の入力（ステップ２１４）は可能である。
そして、オークション終了日時になったら、オークションは終了する。
【００６４】
以下、図８を用いて、競り下げオークションにおける入札データ処理の流れについて説明する。入札データ処理の手順は、サーバ２０における記憶部に記憶されている所定のプログラムに従い、主に処理部によって実行されるものとする。
【００６５】
最初に、バイヤであるユーザが、オークション登録画面を利用して、オークション定義情報を入力する（ステップ８０１）。
ここで、オークション定義情報とは、オークション開催日時、オークションタイプ、対象となる商品情報、選定サプライヤ等の定義情報を言う。図３を用いて説明されたオークション定義情報同様の定義情報が設定される。
【００６６】
競り下げタイプのオークションの登録画面の一例を図９の９１０に示す。図９の９１０では、入力されるオークション定義情報は、オークションタイプ９１１（競り下げタイプ）、競り下げ間隔９１２（初回：３００秒、以降：６０秒）等である。競り下げ間隔９１２は、競り下げタイプ（エスカレータ型オークション）で、次の設定価格に上昇するまでの時間が設定され、「初回」は、オークション開始から１回目までの価格上昇までの時間を、秒単位で設定し、「以降」は、２回目以降の次の設定価格目での時間を秒単位で設定する。
【００６７】
競り下げタイプのオークションにおける商品情報の登録画面の一例を図１０の１０１０に示す。図１０の１０１０では、入力される商品情報は、商品名１０１１（「コピー用紙Ａ４」）、数量単位１０１２（数量「１」、単位「ケース」）、目標価格１０１３（「３５００」円）、競り下げ価格入力欄１０１４（「４１００」円）、競り下げ詳細金額１０１５（競り下げていく指定価格として、４０００円、３９００円、…、３４００円）等がある。
また、図示されないが、オークション登録画面では、オークション引き合い対象となるサプライヤ等が入力される。
【００６８】
次に、バイヤが入力したオークション定義情報は、バイヤ側コンピュータ３０から、サーバ２０に送信される（ステップ８０２）。サーバ２０で受信した定義情報（ステップ８０３）は、記憶部に格納されると共に、サプライヤであるユーザが、サプライヤ側コンピュータ４０で入札データ処理システムが生成するオークション画面にアクセスすることにより、サプライヤ側コンピュータ４０に送信される（ステップ８０４）。
【００６９】
次に、サプライヤは、オークション定義情報を受信し（ステップ８０５）、オークション画面を利用して、オークション定義情報を確認する（ステップ８０６）。
【００７０】
次に、オークション定義情報で入力されたオークション開催日時になったか否かが判断され、オークション開催日時になると、開催メールがサーバ２０から送信され（ステップ８０７）、サプライヤ側コンピュータ４０で開催メールが受信される（ステップ８０８）。また、ステップ８０７では、開催メールは、バイヤーが操作することで任意のタイミングで開催メールを送信するようにしても良い。
【００７１】
次に、サプライヤは、オークション画面を利用して、サプライヤ側コンピュータ４０で入札情報を入力する（ステップ８０９）。
【００７２】
なお、落札価格は、競り下げの場合は、上記競り下げ間隔で設定した時間にしたがって下降する。
サプライヤによる入札情報は、ウェブページで表示される競り下げされる入札価格において入札する旨の情報である。その情報は、サプライヤ側コンピュータ画面のウェブページで、サプライヤが入札したい設定価格が表示されたときに、ウェブページの「入札ボタン」を押下することによって、サプライヤ側コンピュータ４０からサーバ２０に送信される。
【００７３】
次に、入力された入札情報は、サプライヤ側コンピュータ４０からサーバ２０に送信され（ステップ８１０）、その入札情報は、サーバ２０で受信される（ステップ８１１）。そして、サーバ２０で受信された入札情報は、さらに上記競り下げ間隔で設定した時間にしたがって競り下げられる。競り下げられた価格は、さらにサーバ２０からバイヤ側コンピュータ３０に送信される（ステップ８１２）。バイヤ側コンピュータ３０コンピュータは、オークション画面にアクセスすることにより、入札情報を受信し（ステップ８１３）、バイヤは、さらに競り下げられた価格を確認する。
【００７４】
バイヤは、さらに競り下げられた価格で、再度入札を行う場合は、上述のようにウェブページの「入札ボタン」を押下することによって、表示の競り下げ価格において入札する旨の情報である入札情報を入力し（ステップ８１４）、その入札情報をサプライヤ側コンピュータ４０から入札情報をサーバ２０に送信する（ステップ８１５）。
【００７５】
そして、サーバ２０で受信された入札情報（ステップ８１６）は、バイヤ側コンピュータ３０に送信され（ステップ８１７）、バイヤ側コンピュータ３０でオークション画面にアクセスすることにより、入札情報を受信し（ステップ８１８）、入札情報を確認する（ステップ８１９）。なお、この入札情報の受信及び確認は、オークション開催後どの段階で行っても良い。
【００７６】
競り下げオークションのバイヤ側から見たオークション状況監視画面の一例を図１１の１１１０に示す。図１１の１２１０では、状況バー１１１１、設定価格１１１２（「８９０００円」）、入札価格１１１３（セラー１が「９２０００」円で１位。セラー２が「９３０００円」で２位。セラー３が「９３０００円」で２位。）等が示される。
【００７７】
次に、サーバ２０で、オークション定義情報で入力されたオークション終了日時になったか否かが判断される（ステップ８２０）。オークション終了日時まで、入札情報の入力（ステップ８１４）は可能である。
そして、オークション終了日時になったら、オークションは終了する。
【００７８】
以下、図１２を用いて、競り上げオークションための入札データ処理の流れについて説明する。入札データ処理の手順は、サーバ２０における記憶部に記憶されている所定のプログラムに従い、主に処理部によって実行されるものとする。
【００７９】
最初に、バイヤであるユーザが、オークション登録画面を利用して、オークション定義情報を入力する（ステップ１２０１）。
ここで、オークション定義情報とは、オークション開催日時、オークションタイプ、対象となる商品情報、選定サプライヤ等の定義情報を言う。図３を用いて説明されたオークション定義情報同様の定義情報が設定される。
【００８０】
競り上げタイプのオークションの登録画面の一例を図１３の１３１０に示す。図１３の１３１０では、入力されるオークション定義情報は、オークションタイプ１３１１（競り上げタイプ）、競り上げ間隔１３１２（初回：３００秒、以降：６０秒）等である。競り上げ間隔１３１２は、競り上げタイプで、次の設定価格に上昇するまでの時間が設定され、「初回」は、オークション開始から１回目までの価格上昇までの時間を、秒単位で設定し、「以降」は、２回目以降の次の設定価格目での時間を秒単位で設定する。
【００８１】
競り上げタイプのオークションにおける商品情報の登録画面の一例を図１４の１４１０に示す。図１４の１４１０では、入力される商品情報は、商品名１４１１（「コピー用紙Ａ４」）、数量単位１４１２（数量「１」、単位「ケース」）、目標価格１４１３（「３５００」円）、競り上げ価格入力欄１４１４（「４１００」円）、競り上げ詳細金額１４１５（競り上げていく指定価格として、４０００円、３９００円、…、３４００円）等がある。
また、図示されないが、オークション登録画面では、オークション引き合い対象となるサプライヤ等が入力される。
【００８２】
次に、バイヤが入力したオークション定義情報は、バイヤ側コンピュータ３０から、サーバ２０に送信される（ステップ１４０２）。サーバ２０で受信した定義情報（ステップ１４０３）は、記憶部に格納されると共に、サプライヤであるユーザが、サプライヤ側コンピュータ４０で入札データ処理システムが生成するオークション画面にアクセスすることにより、サプライヤ側コンピュータ４０に送信される（ステップ１４０４）。
【００８３】
次に、サプライヤは、オークション定義情報を受信し（ステップ１４０５）、オークション画面を利用して、オークション定義情報を確認する（ステップ１４０６）。
【００８４】
次に、オークション定義情報で入力されたオークション開催日時になったか否かが判断され、オークション開催日時になると、開催メールがサーバ２０から送信され（ステップ１４０７）、サプライヤ側コンピュータ４０で開催メールが受信される（ステップ１４０８）。また、ステップ１４０７では、開催メールは、バイヤーが操作することで任意のタイミングで開催メールを送信するようにしても良い。
【００８５】
次に、サプライヤは、オークション画面を利用して、サプライヤ側コンピュータ４０で入札情報を入力する（ステップ１４０９）。
【００８６】
なお、落札価格は、競り上げの場合は、上記競り上げ間隔で設定した時間にしたがって上昇する。
サプライヤによる入札情報は、ウェブページで表示される競り上げられる入札価格において入札する旨の情報である。その情報は、サプライヤ側コンピュータ画面のウェブページで、サプライヤが入札したい設定価格が表示されたときに、ウェブページの「入札ボタン」を押下することによって、サプライヤ側コンピュータ４０からサーバ２０に送信される。
【００８７】
次に、入力された入札情報は、サプライヤ側コンピュータ４０からサーバ２０に送信され（ステップ１２１０）、その入札情報は、サーバ２０で受信される（ステップ１２１１）。そして、サーバ２０で受信された入札情報は、さらに上記競り上げ間隔で設定した時間にしたがって競り上げられる。競り上げられた価格は、さらにサーバ２０からバイヤ側コンピュータ３０に送信される（ステップ１２１２）。バイヤ側コンピュータ３０コンピュータは、オークション画面にアクセスすることにより、入札情報を受信し（ステップ１２１３）、バイヤは、さらに競り上げられた価格を確認する。
【００８８】
バイヤは、さらに競り上げられた価格で、再度入札を行う場合は、上述のようにウェブページの「入札ボタン」を押下することによって、表示の競り上げ価格において入札する旨の情報である入札情報を入力し（ステップ１２１４）、その入札情報をサプライヤ側コンピュータ４０から入札情報をサーバ２０に送信する（ステップ１２１５）。
【００８９】
そして、サーバ２０で受信された入札情報（ステップ１２１６）は、バイヤ側コンピュータ３０に送信され（ステップ１２１７）、バイヤ側コンピュータ３０でオークション画面にアクセスすることにより、入札情報を受信し（ステップ１２１８）、入札情報を確認する（ステップ１２１９）。なお、この入札情報の受信及び確認は、オークション開催後どの段階で行っても良い。
【００９０】
競り上げオークションのバイヤ側から見たオークション状況監視画面の一例を図１５の１５１０に示す。図１５の１５１０では、状況バー１５１１、設定価格１５１２（「８９０００円」）、入札価格１５１３では何の表示も無い。これは、競り上げオークションでは、最初の入札価格が落札価格となるため、表示される設定価格「１５１２（１６，０００円）」では入札が無いことが示される。
【００９１】
次に、サーバ２０で、オークション定義情報で入力されたオークション終了日時になったか否かが判断される（ステップ１２２０）。オークション終了日時まで、入札情報の入力（ステップ１２１４）は可能である。
そして、オークション終了日時になったら、オークションは終了する。
【００９２】
以下、図１６を用いて、マルチオークションにおける入札データ処理の流れについて説明する。
マルチオークションとは、複数品目、複数項目の金額を入札する形のオークションである。マルチオークションとして３つのタイプのオークションとして、明細入札タイプ、複数品目入札タイプ、分散又は一括競争入札タイプを設定可能である。
明細入札タイプでは、対象品目が一品目で、明細の価格情報や複数の価格情報を合わせて入札させる場合に利用するものである。これにより、入札中に各サプライヤが、どの明細に競争力があるかを確認することができる。
複数品目入札タイプでは、対象品目が複数あり、その複数品目の入札を同時に行わせる場合に利用するものである。
分散又は一括競争入札タイプでは、対象品目が複数あり、かつ複数品目を１社又は複数社に分散発注する場合に利用するものである。
入札データ処理の手順は、サーバ２０における記憶部に記憶されている所定のプログラムに従い、主に処理部によって実行されるものとする。
【００９３】
最初に、バイヤであるユーザが、オークション登録画面を利用して、オークション定義情報を入力する（ステップ１６０１）。
オークション定義情報とは、オークション開催日時、オークションタイプ、対象となる商品情報、選定サプライヤ等の定義情報を言う。図示しないが、オークションタイプとして、マルチオークション、又はそれをより詳細化した、明細入札タイプ、複数品目入札タイプ、分散又は一括競争入札タイプ等と入力することが可能である。
【００９４】
複数品目タイプのオークションの登録画面の一例を図１７の１７１０に示す。図１７の１７１０では、図５で示した商品情報に加えて２品目目の商品情報１７１１が追加される。ここで追加された商品情報は、図５で示した商品情報の入力項目と同じである。
【００９５】
次に、バイヤが入力したオークション定義情報は、バイヤ側コンピュータ３０から、サーバ２０に送信される（ステップ１６０２）。サーバ２０で受信した定義情報（ステップ１６０３）は、記憶部に格納されると共に、サプライヤであるユーザが、サプライヤ側コンピュータ４０で入札データ処理システムが生成するオークション画面にアクセスすることにより、サプライヤ側コンピュータ４０に送信される（ステップ１６０４）。
【００９６】
次に、サプライヤは、オークション定義情報を受信し（ステップ１６０５）、オークション画面を利用して、オークション定義情報を確認する（ステップ１６０６）。
【００９７】
次に、オークション定義情報で入力されたオークション開催日時になったか否かが判断され、オークション開催日時になると、開催メールがサーバ２０から送信され（ステップ１６０７）、サプライヤ側コンピュータ４０で開催メールが受信される（ステップ１６０８）。また、ステップ１６０７では、開催メールは、バイヤーが操作することで任意のタイミングで開催メールを送信するようにしても良い。
【００９８】
次に、サプライヤは、オークション画面を利用して、サプライヤ側コンピュータ４０で入札情報を入力する（ステップ１６０９）。
【００９９】
次に、入力された入札情報は、サプライヤ側コンピュータ４０からサーバ２０に送信され（ステップ１６１０）、その入札情報は、サーバ２０で受信される（ステップ１６１１）。
そして、サーバ２０は、入札情報に基づいて、複数品目（又は明細）毎の最低入札価格の合計と、一括入札（又は明細入札の場合、単品入札）の価格とを比較し、サプライヤに対して、落札するために必要な価格を計算する。
例えば、対象品目Ａ、Ｂ、Ｃに対して、サプライヤ１が、Ａ＝５０円、Ｂ＝１００円、Ｃ＝１５０円という入札価格を入力し、サプライヤ２が、Ａ、Ｂ、Ｃに対して、一括価格２５０円という入札価格を入力した場合、サプライヤ１が落札するために、サプライヤ１に対してＡ、Ｂ、Ｃ全体で２４９円という落札可能価格を算定する。
また、サプライヤ１が、Ａ＝５０円、Ｂ＝１００円、Ｃ＝９０円という入札価格を入力した場合、サーバ２０は、サプライヤ２が落札するために、サプライヤ２に対してＡ、Ｂ、Ｃ全体で２３９円という落札可能価格を算定する。
【０１００】
算定された落札可能価格は、さらにサーバ２０からバイヤ側コンピュータ３０に送信される（ステップ１６１２）。バイヤ側コンピュータ３０コンピュータは、オークション画面にアクセスすることにより、入札情報を受信し（ステップ１６１３）、バイヤは、さらに入札価格を確認する。
【０１０１】
バイヤは、再度入札を行う場合は、新たに入札情報を入力することで（ステップ１６１４）、その入札情報をサプライヤ側コンピュータ４０から入札情報をサーバ２０に送信する（ステップ１６１５）。
【０１０２】
そして、サーバ２０で受信された入札情報（ステップ１６１６）は、バイヤ側コンピュータ３０に送信され（ステップ１６１７）、バイヤ側コンピュータ３０でオークション画面にアクセスすることにより、入札情報を受信し（ステップ１６１８）、入札情報を確認する（ステップ１６１９）。なお、この入札情報の受信及び確認は、オークション開催後どの段階で行っても良い。
【０１０３】
次に、サーバ２０で、オークション定義情報で入力されたオークション終了日時になったか否かが判断される（ステップ１６２０）。オークション終了日時まで、入札情報の入力（ステップ１６１４）は可能である。
そして、オークション終了日時になったら、オークションは終了する。
【０１０４】
なお、バイヤ又はサーバ２０は、ステップ１６１１において、サプライヤの数を減少させるステップを実行して良い。この場合、サーバ２０が自動で処理を行う場合、バイヤは、オークション定義情報において最大サプライヤ数の設定を予め行っておくことで、対象品目毎に入札価格の低い順から選定サプライヤを決定し、入札価格の順位にしたがって最大サプライヤ数を越えたサプライヤは、オークションから除外することも可能である。
また、分散発注タイプを選定した場合、オークション定義情報において最小サプライヤ数を予め選定し、サーバ２０の処理により、所定の最小サプライヤ数で分散発注を行うことも可能である。この場合、全品目において最低価格で入札したサプライヤが一社であっても、最小サプライヤ数が２であった場合、２番札の入札価格を提示したサプライヤをいずれかの品目において落札サプライヤと選定しても良い。
【０１０５】
また、ステップ１６０９において、サプライヤは、明細入札または複数品目入札を行う際、複数品目のうちいずれかを組合せて入札可能としても良い。つまり、対象品目がＡ、Ｂ、Ｃであった場合、サプライヤ１は、Ａ及びＢを１つの品目（又は明細）を組合せて入札したり、Ａ及びＣを１つの品目（又は明細）として組合せて入札することが可能となる。
このような任意の組合せにより入札を可能とすることで、サプライヤは、自己のコストメリットを最大限に発揮可能な品目において入札が可能になると共に、バイヤは、そのコストメリットにより低廉な価格での発注が可能となる。
【０１０６】
なお、複数品目入札タイプと明細入札タイプにおいて、複数品目入札タイプの用語「全品目」に、明細入札タイプの用語「単一品目」、及び、複数品目入札タイプの用語「品目」に、明細入札タイプの用語「明細」がそれぞれ対応する。したがって、上記において複数品目入札タイプの上記用語の説明があった場合、明細入札タイプの対応する用語においても同じことが言及される。
【０１０７】
以上詳述したように、本発明にかかる入札データ処理システムにおいては、シェア割りオークションによるボリュームメリット及びリスクを考慮した分散発注が可能になり、さらに、繰り下げ／繰り上げオークションにより、サプライヤ間の競合価格以下の入札価格での発注、マルチオークションによりサプライヤにとって低廉価格を提示しやすい品目における入札が可能となった。
【図面の簡単な説明】
【０１０８】
【図１】本発明に係る入札データ処理方法及び入札データ処理システムの概要を示す図である。
【図２】本発明に係るシェア割オークションにおける入札データ処理の流れを示す図である。
【図３】オークション登録画面の一例を示す図である。
【図４】シェア割タイプのオークションの登録画面の一例を示す図である。
【図５】シェア割オークションにおける商品情報の登録画面の一例を示す図である。
【図６】シェア割オークションのサプライヤ側から見たオークション入札画面の一例を示す図である。
【図７】シェア割オークションのバイヤ側から見たオークション状況監視画面の一例を示す図である。
【図８】本発明に係る競り下げオークションにおける入札データ処理の流れを示す図である。
【図９】競り下げオークションの登録画面の一例を示す図である。
【図１０】競り下げオークションにおける商品情報の登録画面の一例を示す図である。
【図１１】競り下げオークションのサプライヤ側から見たオークション入札画面の一例を示す図である。
【図１２】本発明に係る競り上げオークションにおける入札データ処理の流れを示す図である。
【図１３】競り上げオークションの登録画面の一例を示す図である。
【図１４】競り上げオークションにおける商品情報の登録画面の一例を示す図である。
【図１５】競り上げオークションのサプライヤ側から見たオークション入札画面の一例を示す図である。
【図１６】本発明に係るマルチオークションにおける入札データ処理の流れを示す図である。
【図１７】マルチオークションにおける商品情報の登録画面の一例を示す図である。
【符号の説明】
【０１０９】
１０    ネットワーク
２０    サーバ
３０    バイヤ側コンピュータ
４０    サプライヤ側コンピュータ
【図１】
2008210224.tif 000003
【図２】
2008210224.tif 000004
【図８】
2008210224.tif 000005
【図１２】
2008210224.tif 000006
【図１６】
2008210224.tif 000007
【図３】
2008210224.tif 000008
【図４】
2008210224.tif 000009
【図５】
2008210224.tif 000010
【図６】
2008210224.tif 000011
【図７】
2008210224.tif 000012
【図９】
2008210224.tif 000013
【図１０】
2008210224.tif 000014
【図１１】
2008210224.tif 000015
【図１３】
2008210224.tif 000016
【図１４】
2008210224.tif 000017
【図１５】
2008210224.tif 000018
【図１７】
2008210224.tif 000019